【事件の表示】
　平成　８年特許願第　２２１２４号「ビデオ編集装置およびビデオ編集方法」拒絶査定不服審判事件〔平成　９年　７月３１日出願公開、特開平　９−１９８８４９〕について、次のとおり審決する。
【結　論】
　本件審判の請求は、成り立たない。
【理　由】
第１　手続の経緯
　　　　
　本願は、平成８年１月１２日の出願であって、平成１７年８月１１日付けの拒絶理由の通知に応答して同年１０月１７日付けで手続補正がなされたが、平成１８年３月７日付けで拒絶査定がなされ、これに対し、同年４月１３日に拒絶査定不服審判が請求されるとともに、同年５月１５日付けで手続補正がなされたものである。
　
　　
第２　平成１８年５月１５日付けの手続補正についての補正却下の決定
　　　　
［補正却下の決定の結論］
　　　　
　平成１８年５月１５日付けの手続補正を却下する。
　　
［理由］
　　
１．本件補正
　　
　平成１８年５月１５日付けの手続補正（以下「本件補正」という。）の特許請求の範囲についての補正事項は、補正前に、
（ａ）「　【請求項１】　ビデオ素材撮影時に記録されたビデオカメラ動作情報を検索するビデオ編集装置であって、
　記録媒体に記録された上記ビデオカメラ動作情報を再生する再生手段と、
　ビデオカメラ動作情報を検索するための検索条件を入力する検索条件入力デバイスと、
　複数の項目に対してそれぞれ検索条件を設定できる条件設定画面を表示装置に表示させ、上記検索条件入力デバイスからの入力に応じて検索条件を設定し、設定された検索条件で上記ビデオカメラ動作情報の検索を行い、検索結果を表示装置に表示するように制御する制御手段と
を有する
ことを特徴とするビデオ編集装置。
　　【請求項２】　請求項１に記載のビデオ編集装置において、
　上記記録媒体はディスク状記録媒体である
ことを特徴とするビデオ編集装置。
　　【請求項３】　請求項１に記載のビデオ編集装置において、
　上記記録媒体は半導体メモリである
ことを特徴とするビデオ編集装置。
　　【請求項４】　ビデオ素材撮影時に記録されたビデオカメラ動作情報を検索するビデオ編集方法であって、
　記録媒体に記録された上記ビデオカメラ動作情報を再生する再生のステップと、
　複数の項目に対してそれぞれ検索条件を設定できる条件設定画面を表示装置に表示させるステップと、
　検索条件入力デバイスからの入力に応じてビデオカメラ動作情報を検索するための検索条件を設定するステップと、
　設定された検索条件で上記ビデオカメラ動作情報の検索を行うステップと、
　検索結果を表示装置に表示するステップと
を有する
ことを特徴とするビデオ編集方法。」
としていたものを、
（ｂ）「　【請求項１】　ビデオ素材撮影時に記録されたビデオカメラ動作情報
でビデオファイル
　記録媒体に記録された上記ビデオカメラ動作情報を再生する再生手段と、
　ビデオカメラ動作情報を検索するための検索条件を入力する検索条件入力デバイスと、
　複数の項目に対してそれぞれ検索条件を設定できる条件設定画面を表示装置に表示させ、上記検索条件入力デバイスからの入力に応じて検索条件を設定し、設定された検索条件で上記ビデオカメラ動作情報の検索を行い、検索結果を表示装置に表示するように制御する制御手段と
を有
し、
　
上記制御手段は、
　
ビデオファイルを検索する際にはビデオファイル一覧を表示装置に表示させ、検索対象として選択されたビデオファイルの場面の中から上記検索条件に該当する場面に対して、該ビデオファイル内での場面を特定する番号を付与して表示装置に一覧表示するようにさらに制御する
ことを特徴とするビデオ編集装置。
　　【請求項２】　請求項１に記載のビデオ編集装置において、
　上記記録媒体はディスク状記録媒体である
ことを特徴とするビデオ編集装置。
　　【請求項３】　請求項１に記載のビデオ編集装置において、
　上記記録媒体は半導体メモリである
ことを特徴とするビデオ編集装置。
　　【請求項４】　ビデオ素材撮影時に記録されたビデオカメラ動作情報
でビデオファイル
　記録媒体に記録された上記ビデオカメラ動作情報を再生する再生のステップと、
　複数の項目に対してそれぞれ検索条件を設定できる条件設定画面を表示装置に表示させるステップと、
　検索条件入力デバイスからの入力に応じてビデオカメラ動作情報を検索するための検索条件を設定するステップと、
　設定された検索条件で上記ビデオカメラ動作情報の検索を行うステップと、
　検索結果を表示装置に表示するステップと、
　
ビデオファイルを検索する際にはビデオファイル一覧を表示装置に表示させ、検索対象として選択されたビデオファイルの場面の中から上記検索条件に該当する場面に対して、該ビデオファイル内での場面を特定する番号を付与して表示装置に一覧表示するステップと
を有する
ことを特徴とするビデオ編集方法。」
と補正しようとするものである。
　　
２．本件補正の目的
　
　特許請求の範囲の請求項１について、本件補正は、概略、
（i）「ビデオカメラ動作情報を検索する」
を
「ビデオカメラ動作情報
でビデオファイル
と、
（ii）「制御手段」について、
「制御手段と
を有する」
を
「制御手段と
を有
し、
　
上記制御手段は、
　
ビデオファイルを検索する際にはビデオファイル一覧を表示装置に表示させ、検索対象として選択されたビデオファイルの場面の中から上記検索条件に該当する場面に対して、該ビデオファイル内での場面を特定する番号を付与して表示装置に一覧表示するようにさらに制御
と、各々補正しようとするものである。
　上記（i）（ii）の点はいずれも、発明を特定するために必要な事項を限定するもので特許請求の範囲の減縮と認められるから、本件補正は平成１８年改正前特許法第１７条の２第４項第２号に掲げる事項を目的とするものと認める。
　　
３．独立特許要件
　　
　そこで、上記「１．（ｂ）」に記載した、本件補正後の請求項１に記載された発明（以下「本願補正発明」という。）が、特許出願の際独立して特許を受けることができるものであるか（平成１８年改正前特許法１７条の２第５項において準用する同法１２６条５項の規定に適合するか）について、以下に検討する。
　　　
（１）刊行物
　原査定の拒絶の理由に引用された刊行物である特開平７−９９６０５号公報（以下「引例１」という。）には、ビデオカメラシステムに関して図面とともに次の事項が記載されている。（なお下線は当審で付与した。）
（あ）「【請求項１４】  被写体を撮影し、動画像の映像信号を生成する撮像手段と、
前記
撮像手段による撮影時の
カメラ操作情報を生成する操作情報獲得手段と、前記撮像手段からの動画像の映像信号と、前記操作情報獲得手段からのカメラ操作情報とを多重した記録信号を、記録媒体に記録する記録手段と、前記記録媒体を再生し、動画像の映像信号とカメラ操作情報を出力する再生手段と、前記動画像の映像信号とカメラ操作情報に基づいて、特定の条件を満足する複数のフレームもしくはフィールドの画像データと、抽出したフレームもしくはフィールドの記録媒体上の位置とを出力する画像抽出手段と、
前記縮小手段からの複数の縮小画面の画像データのうち、
前記画像抽出手段からの抽出信号に対応する画像データを組み合わせて、１フレームもしくはフィールドのマルチ画面の画像データを構成して出力するマルチ画面生成手段と、
前記媒体を再生し、マルチ画面の画像データとマルチ画面を構成する縮小画面に対応する記録媒体上の位置とを組にして再生するマルチ画面再生手段と、
マルチ画面再生手段が出力するマルチ画面の画像データを表示するマルチ画面表示手段と
前記マルチ画面表示手段によって表示されたマルチ画面の中から、使用者がどの縮小画面を選択したかを示す選択信号を出力する画像選択手段と、
前記画像選択手段からの選択信号と、マルチ画面再生手段からの各縮小画面に対応する記録媒体上の位置とに基づいて、使用者が選択した縮小画面に対応する動画像の映像信号を再生する選択画像再生手段と
を備えた
ビデオカメラシステム。
（い）「【０００８】本発明はかかる点に鑑み、
記録した動画像の内容を表わす代表的なフレームもしくはフィールドを自動的に検索できるビデオカメラシステム
（う）「【００２６】図６は、同第１の実施例におけるビデオカメラシステムのマルチ画面の出力部６２の構成図である。図６において、６１は記録媒体、１７は再生回路、１８は映像信号と操作情報との分離回路、１９は再生映像のフレームメモリ、６４は代表フレームの抽出回路、２１は縮小回路、２２はフレーム番号のメモリ、６５はマルチ画面のフレームメモリである。再生回路１７が再生して復調した信号は、図４の（ｄ）に示した多重信号と同じく、映像信号と操作情報が時間軸多重された信号である。分離回路１８は、多重信号を再生映像信号と操作情報とに分離する。再生映像のフレームメモリ１９は、再生映像信号を１フレームの時間だけ遅延させる。
代表フレームの抽出手段６４は、この遅延の間にそのフレームが特定条件を満たすかどうかを判断して、メモリ書込み制御パルスを出力する
【００２７】図７は同第１の実施例の代表フレームの抽出手段６４のブロック図である。図７において、２７はＦ値の変化の終了を検出する回路、２８は白バランスの設定色温度の変化の終了を検出する回路、２９はパンニングの終了を検出する回路、３０はズーミングの終了を検出する回路、３１は加重和回路、３２は閾値処理回路、３３はアンドゲートである。
検出回路２７，２８，２９および３０は、操作情報の中から絞り開度および白バランスの設定色温度、手ぶれの大きさ、および焦点距離を取り出して、それらの値が一定のフレーム数以上連続して増加もしくは減少した後、一定のフレーム数のあいだ連続して変化が無いとき、検出パルス＝
１
を出力する。その条件が満たされないときには、これらの検出回路２７，２８，２９および３０は、検出パルス＝
０
を出力する。加重和回路３１は、これら４つの検出パルスに重み付けして加える。例えば、検出回路２７および２８の出力する検出パルスの重みは１とし、検出回路２９および３０の出力する検出パルスの重みは２とする。閾値処理回路３２は、加重和回路３１が出力する加重和が、一定の閾値を越えれば
１
を出力し、閾値以下であれば
０
を出力する。これによって、パンニングもしくはズーミングの終了が検出されれば、閾値処理回路３２は
１
を出力する。あるいは、Ｆ値の変化の終了と同時に、白バランスの設定色温度の変化の終了も検出されたときにも、閾値処理回路３２は
１
を出力する。閾値処理回路３２の出力値は、再生映像のフレームメモリ１９が、操作情報に対応するフレームを出力している間、保持される。アンドゲート３３は、閾値処理回路３２が
１
を出力しているフレームの間はフィールド同期信号に一致し、他の間は
０
であるような、メモリ書込み制御パルスを出力する
【００２８】図８は同第１の実施例の縮小回路２１およびマルチ画面のフレームメモリ６５のブロック図である。図８において、３４は水平方向のローパスフィルタ、３５は水平サブサンプリング回路、３６は垂直方向のローパスフィルタ、３７は垂直サブサンプリング回路、３８はフレームメモリ、３９はフレームメモリ書込み制御部、４０はフレームメモリ読出し制御部である。ローパスフィルタ３４および３６は、サブサンプリング回路３５および３７における間引き処理によって、再生映像信号の高周波成分が低周波に折り返すことを防いでいる。例えば、水平、垂直方向にともに１／２に縮小する場合には、ローパスフィルタ３４および３６によって、映像信号の周波数帯域を再生映像信号の１／２に制限して、サブサンプリング回路３５および３７によって、水平方向には２画素に１画素、垂直方向には２ラインに１ラインの割合で間引く。この動作によって、縮小回路２１は水平および垂直方向に間引いた映像信号を、フレームメモリ３８に供給する。
【００２９】フレームメモリ書込み制御部３９は、代表フレームの抽出手段６４が出力するメモリ書込み制御パルスに従って、フレームメモリ３８に縮小映像信号を書き込む。縮小映像信号が、水平および垂直方向に１／２に縮小した画像である場合には、４枚の縮小画像を書き込めば、フレームメモリ３８は一杯になる。フレームメモリの読出し制御部４０は、フレームメモリ３８に格納されているマルチ画面を、フィールド同期信号に同期して読出し制御する。
【００３０】以上のようにして、本実施例のビデオカメラシステムのマルチ画面の出力部６２は、記録媒体６１の再生信号の中から、特定条件を満たすフレームで構成されたマルチ画面の映像信号を得る。マルチ画面の映像信号を図１の構成によってビデオプリンタ６３でプリントすることにより、記録媒体６１に記録された動画像の映像の概要を知ることができる。
【００３１】なお、本実施例では、マルチ画面の出力部６２が出力するマルチ画面の映像信号を、ビデオプリンタ６３でプリントしたが、テレビなどの表示装置に表示してもよい。
【００３２】また、本実施例では、操作情報獲得回路５は、操作情報を撮影者による操作情報、信号処理時の操作情報、センサー情報、フレーム番号の順で出力したが、出力する順番はこの順に限定されない。操作情報獲得回路５が出力する操作情報の順番は、例えば、絞り開度、露光モード、ＡＧＣゲイン、白バランスモードというように、センサー情報と、撮影者による操作情報と、信号処置時の操作情報とが混在していてもよい。
【００３３】また、操作情報獲得回路５が出力する操作情報の内容は、（表１），（表２）および（表３）で示した表現に限定されない。例えば、（表２）の（ａ）の白バランスの設定色温度は、デカミレッド単位（ｄ＝105／Ｔ、ｄは整数、Ｔはケルビン単位の色温度）で表わしてもよい。また、（表２）の（ｃ）の手ぶれの大きさは、水平および垂直の１フィールド当りの手ぶれの大きさで表わしたが、１フレーム当りもしくは１秒当りの手ぶれの大きさで表わしてもよいし、手ぶれの向き（水平に対する角度）とその向きへの大きさで表わしてもよい。
【００３４】また、
本実施例において、代表フレームの抽出手段２０は、Ｆ値、設定色温度、パンニング、およびズーミングの終了を検出する回路によって構成したが、抽出手段２０の構成は、これに限定されるものではない。代表フレームの抽出手段２０は、操作情報から代表フレームを決定するための他の構成でもよく、例えば、露光モードの変更を検出する回路を用いてもよいし、合焦距離の変化を検出する回路を用いてもよい。
【００３５】また、
本実施例では抽出手段２０が、代表フレームを抽出したが、抽出手段２０と同様の構成によって重要フィールドを抽出してもよい。
（え）上記抽出手段に関して上記（う）の記載をまとめると、
　代表フレームの抽出手段が、各フレームもしくはフィールドが特定条件を満たすかどうかを判断してメモリ書込み制御パルスを出力することで、特定条件を満たすフレームもしくはフィールドで構成されたマルチ画面の映像信号を得るところ、前記判断は、各々所定の操作情報を取り出して所定の条件が満たされているか検出する複数の検出回路からの各検出パルスに基づいて行われる
旨が記載されている。
　各検出回路においては、何かしらの形で上記所定の条件を設定することが必須であるのは明らかである。
　よって【請求項１４】における
上記特定の条件は、複数のカメラ操作情報に対してそれぞれ上記特定の条件を満足するフレームもしくはフィールド抽出のための条件を設定することに基づいて設定される
　　　　　  　　　　　　
　上記各摘示事項及び図面の記載を総合勘案すると、引例１には、以下の発明が記載されているものと認められる。
「撮像手段による撮影時のカメラ操作情報を生成する操作情報獲得手段と、
前記撮像手段からの動画像の映像信号と、前記操作情報獲得手段からのカメラ操作情報とを多重した記録信号を、記録媒体に記録する記録手段と、
前記記録媒体を再生し、動画像の映像信号とカメラ操作情報を出力する再生手段と、
前記動画像の映像信号とカメラ操作情報に基づいて、特定の条件を満足するフレームもしくはフィールドの画像データと、抽出したフレームもしくはフィールドの記録媒体上の位置とを出力する画像抽出手段と、
前記画像抽出手段からの抽出信号に対応する画像データを組み合わせて、１フレームもしくはフィールドのマルチ画面の画像データを構成して出力するマルチ画面生成手段と、
マルチ画面再生手段が出力するマルチ画面の画像データを表示する表示手段と
を備えたビデオカメラシステムであって、
　上記特定の条件は、複数のカメラ操作情報に対してそれぞれ該特定の条件を満足するフレームもしくはフィールド抽出のための条件を設定することによって設定される、
ビデオカメラシステム。」（以下「引例１発明」という。）
　　　
（２）対比・判断
　
　本願補正発明と引例１発明とを対比する。
（i）引例１発明における「撮像手段による撮影時のカメラ操作情報」は、「記録媒体に記録する」のであり、本願補正発明における「ビデオ素材撮影時に記録されたビデオカメラ動作情報」に相当する。
　引例１発明においては、「撮像手段からの動画像の映像信号」を「記録媒体に記録」するのであるから、本願補正発明における「ビデオファイル」に相当するものが形成され、そこから「特定の条件を満足するフレームもしくはフィールド」が「抽出」されることは明らかである。そして引例１には、「記録した動画像の内容を表わす代表的なフレームもしくはフィールドを自動的に
検索
　引例１発明における上記「抽出」は上記「カメラ操作情報に基づいて」行われるものであり、結局引例１発明の「ビデオカメラシステム」は、
「ビデオ素材撮影時に記録されたビデオカメラ動作情報でビデオファイルを検索する」
の点で、本願補正発明における
「ビデオ編集装置」
と共通する。
（ii）引例１発明における、「前記記録媒体を再生し、」「カメラ操作情報を出力する再生手段」は、本願補正発明における
「記録媒体に記録された上記ビデオカメラ動作情報を再生する再生手段」
に相当する。
（iii）本願補正発明における「項目」が、「カメラ動作情報」の「項目」であることは明らかであるから、引例１発明における「複数のカメラ操作情報」は本願補正発明における「複数の項目」に相当する。
　引例１発明は、「複数のカメラ操作情報に対してそれぞれ該特定の条件を満足するフレームもしくはフィールド抽出のための条件を設定する」のであるから、本願補正発明と「複数の項目に対してそれぞれ」「検索条件を設定し、」の点で共通する。
　そして引例１発明は、「特定の条件を満足するフレームもしくはフィールド」を「抽出」するものであって当該条件は「特定の条件を満足するフレームもしくはフィールド抽出のための条件」の設定により設定されるのであるから、当該抽出にあたり、
「複数の項目に対してそれぞれ」「検索条件を設定し、設定された検索条件で上記ビデオカメラ動作情報の検索を行い、」
の点で本願補正発明と共通する動作を行うと言える。
　そして引例１発明は、「特定の条件を満足するフレームもしくはフィールドの画像データ」を組み合わせてなる「マルチ画面の画像データを表示する表示手段」を備えるのであるから、本願補正発明における
「検索結果を表示装置に表示する」
に相当する機能を有する。
（iv）本願における「場面」には図１３のようにコマ表示されるものを含む（【００７９】）ことを考慮すると、引例１発明における「特定の条件を満足するフレームもしくはフィールド」は、本願補正発明における「検索条件に該当する場面」に相当する。
  そして引例１発明は、「特定の条件を満足するフレームもしくはフィールドの画像データ」を組み合わせてなる「マルチ画面の画像データを表示する表示手段」を備えるのであるから、本願補正発明と、
「ビデオファイルを検索する際には」「検索対象」「ビデオファイルの場面の中から上記検索条件に該当する場面」を「表示装置に一覧表示する」
の点で共通する。
（v）引例１発明は、上記（iii）および（iv）記載の点に係る制御を各々行う点において、本願補正発明における
「制御手段」
に相当する手段を有すると言える。
　　　　      
　そうすると、引例１発明と本願補正発明とは、次の点で一致する。
＜一致点＞
「ビデオ素材撮影時に記録されたビデオカメラ動作情報でビデオファイルを検索するビデオ編集装置であって、
　記録媒体に記録された上記ビデオカメラ動作情報を再生する再生手段と、
　複数の項目に対してそれぞれ検索条件を設定し、設定された検索条件で上記ビデオカメラ動作情報の検索を行い、検索結果を表示装置に表示するように制御する制御手段と
を有し、
　上記制御手段は、
　ビデオファイルを検索する際には検索対象ビデオファイルの場面の中から上記検索条件に該当する場面[を]表示装置に一覧表示するようにさらに制御する
ことを特徴とするビデオ編集装置。」である点。
　　　　　
　そして、次の各点で相違する。
＜相違点１＞
　本願補正発明では、「
ビデオカメラ動作情報を検索するための検索条件を入力する検索条件入力デバイス
検索条件を設定できる条件設定画面を表示装置に表示させ、上記検索条件入力デバイスからの入力に応じて
＜相違点２＞
　本願補正発明では、「ビデオファイルを検索する際には
ビデオファイル一覧を表示装置に表示させ、
として選択された
＜相違点３＞
　本願補正発明では、「ビデオファイルの場面の中から上記検索条件に該当する場面
に対して、該ビデオファイル内での場面を特定する番号を付与して
　　　
　上記各相違点について検討する。
　
  相違点１について、
　ビデオファイルを検索する「情報を検索するための検索条件を入力する検索条件入力デバイス」を有し、「検索条件を設定できる条件設定画面を表示装置に表示させ、上記検索条件入力デバイスからの入力に応じて検索条件を設定」する技術は周知（例：特開平３−１６０６６４号公報（以下「周知例１」という。Ｐ５左下欄１ないし１３行、他を参照。）、特開平７−２４０８８１号公報（以下「周知例２」という。【００３６】ないし【００４３】他を参照。））と認められる。
　引例１発明における「特定の条件を満足するフレームもしくはフィールド抽出のための条件」は、上記「（１）（え）」にて述べたように、何かしらの形で設定されることが必須であるところ、
　引例１発明は「複数のカメラ操作情報」に対して条件を設定するものであるが、例えば引例１の実施例では、検出回路が４つ（図７等参照。）であるのに対してより多くのカメラ操作情報が例示されており（【００１８】等参照。）、いずれのカメラ操作情報を採用するかを選択して設定し得ることが示唆されていると言える。
　また、所定のカメラ操作情報、例えば「合焦距離の変化を検出する」（上記「（１）（う）【００３４】」）場合を考えてみても、どの程度の距離変化を代表フレームもしくはフィールドの検索に適した変化として認識するか等、特定の条件として設定する必要があることが明らかである。
　このように、引例１発明における「特定の条件を満足するフレームもしくはフィールド抽出のための条件」の設定に際しては、その内容や数値について設定すべき事項が通常に存在するのは明らかであるから、検索のための条件を入力するデバイスに係る技術が上述したように周知なことを勘案すると、引例１発明において、当該事項を設定するべく当該周知技術を採用することにより、
「
ビデオカメラ動作情報を検索するための検索条件を入力する検索条件入力デバイスと、
を有し、
「複数の項目に対してそれぞれ
検索条件を設定できる条件設定画面を表示装置に表示させ、上記検索条件入力デバイスからの入力に応じて
することは、当業者が容易に想到し得たものである。
　　
　相違点２について、
　ビデオファイルを複数扱うとともに、当該複数のファイルを一覧表示させ選択する技術は周知（例：特開平７−２０３３４８号公報（「周知例３」という。【０００３】【０００７】他を参照。））であって、引例１発明において、ビデオファイルを複数扱い前記周知の技術を適用することにより、
「ビデオファイルを検索する際には
ビデオファイル一覧を表示装置に表示させ、
とすることは、当業者が必要に応じて適宜なし得たものである。
　　
　相違点３について、
　ビデオファイルの場面の中から所定の検索条件に該当する場面に対して、該ビデオファイル内での場面を特定する番号を付与して表示装置に一覧表示する技術は周知（例：周知例１（第１１図の「番号」欄などを参照。）、周知例２（図６の「Ｎｏ．」欄などを参照。））であり、所定の検索条件に該当する場面を表示装置に一覧表示する引例１発明において当該周知技術を適用することにより、
「ビデオファイルの場面の中から上記検索条件に該当する場面
に対して、該ビデオファイル内での場面を特定する番号
付与して
とすることは、当業者が必要に応じて適宜なし得たものである。
　　
　上記各相違点の判断を総合しても、本願補正発明の奏する効果は引例１に記載された発明及び周知の事項から当業者が十分予測可能なものであって格別なものとは言えない。
　したがって本願補正発明は、引例１に記載された発明及び周知の事項に基づいて当業者が容易に発明をすることができたものであるから、特許法２９条２項の規定により特許出願の際独立して特許を受けることができないものである。
　
（３）本件補正についてのむすび
　以上のとおり、本件補正は、平成１８年改正前特許法１７条の２第５項で準用する同法１２６条５項の規定に違反するものであり、同法１５９条１項で読み替えて準用する同法５３条１項の規定により却下されるべきものである。　
　　
　　
第３　本願発明について
　
　平成１８年５月１５日付の手続補正は上記のとおり却下されたので、本願の請求項１ないし４に係る発明は平成１７年１０月１７日付けで手続補正された特許請求の範囲の請求項１ないし４に記載されたとおりのものと認められるところ、そのうち請求項１に係る発明（以下「本願発明」という。）は、上記「第２［理由］１．（ａ）」において記載した本件補正前の特許請求の範囲の【請求項１】に記載のとおりのものである。
　
（１）刊行物
　原査定の拒絶の理由に引用された刊行物、及びその記載事項は、上記「第２［理由］３．独立特許要件（１）」に記載したとおりである。
　　　
（２）対比・判断
　本願発明は、本願補正発明から、
「ビデオカメラ動作情報
でビデオファイル
及び
「制御手段と
を有
し、
　
上記制御手段は、
　
ビデオファイルを検索する際にはビデオファイル一覧を表示装置に表示させ、検索対象として選択されたビデオファイルの場面の中から上記検索条件に該当する場面に対して、該ビデオファイル内での場面を特定する番号を付与して表示装置に一覧表示するようにさらに制御
について上記下線部に係る特定事項を各々省いたものである。
　そうすると、本願発明の構成要件をすべて含み、更に他の構成要件を付加したものに相当する本願補正発明が、上記「第２［理由］３．（２）」に記載したとおり、引例１及び周知の事項に基づいて当業者が容易に発明をすることができたものであるから、本願発明も同様の理由により、引例１ないし４及び周知の事項に基づいて当業者が容易に発明をすることができたものである。　
　
（３）むすび
　以上のとおり、本願の請求項１に係る発明は、引例１に記載された発明及び周知の事項に基づいて当業者が容易に発明をすることができたものであるから、特許法第２９条２項の規定により特許を受けることができない。
　したがって本願は、その余の請求項について論及するまでもなく拒絶すべきものである。
　　
　よって、結論のとおり審決する。